(57)【要約】【課題】低廉化を図り得るパネルシステムを提供する。【解決手段】支持力を受けてパネル並び方向の一方向側の端部が下側支持体４のパネル支持面４ｂから浮いた被支持状態である正立姿勢と、支持力が解除された解除状態である一方向側に傾いた傾斜姿勢との間で姿勢変更自在な複数の第１パネル１Ａと、正立姿勢で装着される第２パネル１Ｂとを備え、第１パネル１Ａのそれぞれに対して、当該第１パネル１Ａの正立姿勢と傾斜姿勢との揺動支点となる姿勢決定部Ｋをパネル並び方向の他方向側に備え、複数の第１パネル１Ａ群に対して、第２パネル１Ｂを一方向側の端位置に装着した装着状態で、複数の第１パネル１Ａの全てを正立姿勢に支持可能に構成され、複数の第１パネル１Ａの全てが正立姿勢となる正常状態か、複数の第１パネル１Ａの何れかが傾斜姿勢となる異常状態かを検知する検知手段Ｓを備えたパネルシステム。【選択図】図２
2011074621.tif 000002
【特許請求の範囲】
【請求項１】
上側支持体と下側支持体との間に、正立姿勢で複数のパネルが隣接並び配設されて仕切り壁を構成するパネルシステムであって、
前記上側支持体と前記下側支持体との間に配設された状態で、支持力を受けてパネル並び方向の一方向側の端部が前記下側支持体のパネル支持面から浮いた被支持状態である正立姿勢と、前記支持力が解除された解除状態である前記一方向側に傾いた傾斜姿勢との間で姿勢変更自在な複数の第１パネルと、
前記上側支持体と前記下側支持体との間に、正立姿勢で装着される第２パネルとを備え、
前記第１パネルのそれぞれに対して、当該第１パネルの前記正立姿勢と前記傾斜姿勢との揺動支点となる姿勢決定部をパネル並び方向の他方向側に備え、
前記複数の第１パネル群に対して、前記第２パネルを前記一方向側の端位置に装着した装着状態で、前記複数の第１パネルの全てを正立姿勢に支持可能に構成され、
前記複数の第１パネルの全てが正立姿勢となる正常状態か、前記複数の第１パネルの何れかが前記傾斜姿勢となる異常状態かを検知する検知手段を備えたパネルシステム。
【請求項２】
前記他方向側の端の第１パネルである異常検出用の第１パネルよりも前記一方向側の前記第１パネル及び前記第２パネルのうちの少なくとも１枚のパネルが不存在であると、その不存在のパネルの存在予定箇所よりも前記他方向側の全ての第１パネルが前記解除状態となって前記傾斜姿勢となるように構成され、
前記検知手段が、前記異常検出用の第１パネルが正立姿勢であると前記正常状態を検知し、前記異常検出用の第１パネルが前記傾斜姿勢であると前記異常状態を検知するように構成されている請求項１に記載のパネルシステム。
【請求項３】
前記検知手段が、前記異常検出用の第１パネルにおける前記一方向側の側縁部の上部に設けられた押圧操作部と、その押圧操作部により押圧操作されるように前記上側支持体に設けられたリミットスイッチとを備えて構成され、
前記押圧操作部が、前記異常検出用の第１パネル及びそれの前記一方向側に隣接する第１パネルが正立姿勢のときは前記リミットスイッチを押圧する押圧可能状態になり、前記異常検出用の第１パネルが前記傾斜姿勢のときは前記リミットスイッチを押圧しない押圧不能状態になるように構成されている請求項２に記載のパネルシステム。
【請求項４】
前記下側支持体に、前記複数の第１パネル及び前記第２パネルの下縁部を嵌め込み可能なように上向きに開口した溝部が長手方向に延びる状態で設けられ、
前記溝部において、前記複数の第１パネルの下縁部夫々における前記他方向側の端部が位置すると予定される箇所の夫々に、前記溝部内を横断するようにピンが設けられ、
前記複数の第１パネルの夫々が、夫々の下縁部の前記他方向側の端部が前記ピンにより前記パネル支持面である前記溝部の底面から浮かして支持され、
前記姿勢決定部が前記ピンにて構成されている請求項１〜３のいずれか１項に記載のパネルシステム。
【請求項５】
前記複数の第１パネル夫々の前記一方向側の側縁部に、横方向に突出する突出部が設けられ、
前記複数の第１パネルのうちの前記他方口側の端の第１パネルを除いた第１パネル及び前記第２パネル夫々の前記他方向側の側縁部に、前記突出部を受けて当該突出部が設けられた第１パネルの下縁部における前記一方向側の端部を前記パネル支持面から浮かして支持することにより、当該第１パネルを前記被支持状態にする受け部が設けられている請求項１〜４のいずれか１項に記載のパネルシステム。
【発明の詳細な説明】
【技術分野】
【０００１】
本発明は、上側支持体と下側支持体との間に、正立姿勢で複数のパネルが隣接並び配設されて仕切り壁を構成するパネルシステムに関する。
【背景技術】
【０００２】
かかるパネルシステムは、例えば、恒温ブースやクリーンブース等の各種ブースの仕切り壁を構成したり、各種建物の仕切り壁を構成するものである（例えば、特許文献１参照。）。
【０００３】
ちなみに、ブースは、建物の内部等の限られた場所に、所望の条件の雰囲気に保持される空間を形成するために用いられるものである。例えば、恒温ブースは、所望の温度に保持される空間を形成するものであり、精密計測機器や精密加工機器等、特定の温度条件下で作動させる必要のある機器の収納用に用いられる。クリーンブースは、特定の清浄度及び温度条件に保持される空間を形成するものであり、半導体の加工用や電子部品の組み立て用等に用いられる。
【先行技術文献】
【特許文献】
【０００４】
【特許文献１】特開２００２−１１５３５２号公報
【発明の概要】
【発明が解決しようとする課題】
【０００５】
ところで、本願に係るパネルシステムでは、例えば、仕切り壁を構成するために必要な複数のパネルのうちの何れが、その正立姿勢となっていない、あるいは欠けていると、パネルシステムで仕切られた空間を所定の条件下に保持できなくなる。
そこで、このようなパネルシステムでは、仕切り壁を構成するために上側支持体と下側支持体との間に隣接並び配設されるべき複数のパネルの全てが、その正立姿勢で、互いに当接して隣接並び配置された場合に、所望の閉空間を形成できる。
【０００６】
上記特許文献１には記載されていないが、従来のパネルシステムでは、上側支持体と下側支持体との間に隣接並び配置されるべき複数のパネル夫々にリミットスイッチ等のパネル検知手段を設けていた。即ち、一対のパネルをそれぞれ対象とし、これらがともに、正立姿勢で当接する状態を個々に検出して、全ての正立、当接状態が確認された場合に、上記所望の閉空間が形成できていると判断していた。この構成では、隣接するパネルが全て正立姿勢に保たれることから、上記の検出は、一に、当接状態の検出に依存することとなっていた。
従って、従来では、上側支持体と下側支持体との間に隣接並び配置されるべき複数のパネル夫々にパネル有無検知手段を設ける必要があることから、部品数が多くなると共に取り付け及び配線作業が煩雑になるので、このようなパネルシステムの価格が高くなるという問題があった。
【０００７】
本発明は、かかる実情に鑑みてなされたものであり、その目的は、低廉化を図り得るパネルシステムを提供することにある。
【課題を解決するための手段】
【０００８】
上記目的を達成するための本発明に係るパネルシステムは、上側支持体と下側支持体との間に、正立姿勢で複数のパネルが隣接並び配設されて仕切り壁を構成するパネルシステムであって、
その特徴構成は、
前記上側支持体と前記下側支持体との間に配設された状態で、支持力を受けてパネル並び方向の一方向側の端部が前記下側支持体のパネル支持面から浮いた被支持状態である正立姿勢と、前記支持力が解除された解除状態である前記一方向側に傾いた傾斜姿勢との間で姿勢変更自在な複数の第１パネルと、
前記上側支持体と前記下側支持体との間に、正立姿勢で装着される第２パネルとを備え、
前記第１パネルのそれぞれに対して、当該第１パネルの前記正立姿勢と前記傾斜姿勢との揺動支点となる姿勢決定部をパネル並び方向の他方向側に備え、
前記複数の第１パネル群に対して、前記第２パネルを前記一方向側の端位置に装着した装着状態で、前記複数の第１パネルの全てを正立姿勢に支持可能に構成され、
前記複数の第１パネルの全てが正立姿勢となる正常状態か、前記複数の第１パネルの何れかが前記傾斜姿勢となる異常状態かを検知する検知手段を備えた点にある。
【０００９】
パネルシステムは、複数の第１パネルと少なくとも一の第２パネルとから構成される。ここで、第１パネルのそれぞれに対して姿勢決定部が備えらえる。そして、姿勢決定部を備えることで、この第１パネルは正立姿勢と傾斜姿勢とを上側支持体と下側支持体との間に配設された状態で取ることができる。
正立姿勢は、支持力を受けてパネル並び方向の一方向側の端部が下側支持体のパネル支持面から浮いた被支持状態で取る姿勢であり、傾斜姿勢は、支持力が解除された解除状態で一方向側に傾いた傾斜姿勢である。具体的には、支持力を受けない状態では、一方向側の端部が下側支持体のパネル支持面に当接し、パネルの上側が一方向側に移動した姿勢である。
【００１０】
この構成の第１パネルでは、この第１パネルを順に隣接して並べ、隣接する第１パネルから他方向側に位置する第１パネルに支持力を付与して、被支持側の第１パネルを正立姿勢とすることができる。或いは、元々、正立姿勢に維持される第２パネルを配置しておき、この他方向側に第１パネルを、順次、隣接並び配置することで、支持力をそれぞれの第１パネルに付与して、正立姿勢で第１パネルを隣接並び配置することができる。
【００１１】
本願に係るパネルシステムでは、第１パネルは一方向側に位置するパネル（第１パネルあるいは第２パネル）から支持力を受けない限り、その正立姿勢となることはない。結果、他方向側の第１パネルの姿勢に基づいて、その第１パネルより一方向側に存するべきパネルの存在及びそのパネルが正立姿勢にあるか否かを判断することができる。例えば他方向の端にある第１パネルが正立姿勢に保たれるためには、その第１パネルに至るまでのパネルが正立姿勢にあり、しかも、それらパネルが個々に他方向側のパネルに対して、支持力を働かせていることになる。結果、当該、第１パネルに至るまでのパネルの状態（有無及び正立姿勢か否か）を良好に判断することができる。
【００１２】
そして、パネルシステムは、複数の第１パネルの全てが正立姿勢となる状態を正常状態（この状態が本願のパネルシステムにより完全な仕切りが形成された状態）とし、複数の第１パネルの何れかが傾斜姿勢となる異常状態（この状態は本願のパネルシステムにより不完全な仕切りしか形成されていない状態）とするのであるが、この正常状態と異常状態とを検知する検知手段を備えることにより、パネルシステムにより、所望の仕切りが形成されているかどうかを、容易、且つ簡便に検出することができる。
従って、検知手段の構成を簡略化することができるので、部品数を少なくすることができると共に、取り付け及び配線作業を簡略化することができるようになり、その結果、低廉化を図り得るパネルシステムを提供することができるようになった。
【００１３】
本発明に係るパネルシステムの更なる特徴構成は、前記他方向側の端の第１パネルである異常検出用の第１パネルよりも前記一方向側の前記第１パネル及び前記第２パネルのうちの少なくとも１枚のパネルが不存在であると、その不存在のパネルの存在予定箇所よりも前記他方向側の全ての第１パネルが前記傾斜姿勢となるように構成され、
前記検知手段が、前記異常検出用の第１パネルが正立姿勢であると前記正常状態を検知し、前記異常検出用の第１パネルが前記傾斜姿勢であると前記異常状態を検知するように構成されている点にある。
【００１４】
上記特徴構成によれば、異常検出用の第１パネルよりもパネル並び方向一方向側の第１パネル及び第２パネルのうちの少なくとも１枚のパネルが不存在であると、その不存在のパネルの存在予定箇所よりも他方向側の全ての第１パネルが解除状態となって、姿勢決定部が、それぞれの第１パネルに対して設けられていることにより正立姿勢から傾斜姿勢に姿勢が変えられる。
つまり、異常検出用の第１パネルが正立姿勢であると、上側支持体と下側支持体との間に隣接並び配設されるべき複数のパネルの全てが正立姿勢で存在し、異常検出用の第１パネルが傾斜姿勢であると、上側支持体と下側支持体との間に隣接並び配設されるべき複数のパネルのうちのいずれかが正立姿勢でない異常状態と検知することができるのである。
従って、異常状態を検知するために、異常検出用の第１パネル１枚が正立姿勢か傾斜姿勢かを検知するだけで足りるので、部品数を更に少なくすることができる共に取り付け及び配線作業を更に簡略化することができるようになる。
その結果、パネルシステムの低廉化をより一層図ることができるようになった。
【００１５】
本発明に係るパネルシステムの更なる特徴構成は、前記検知手段が、前記異常検出用の第１パネルにおける前記一方向側の側縁部の上部に設けられた押圧操作部と、その押圧操作部により押圧操作されるように前記上側支持体に設けられたリミットスイッチとを備えて構成され、
前記押圧操作部が、前記異常検出用の第１パネル及びそれの前記一方向側に隣接する第１パネルが正立姿勢のときは前記リミットスイッチを押圧する押圧可能状態になり、前記異常検出用の第１パネルが前記傾斜姿勢のときは前記リミットスイッチを押圧しない押圧不能状態になるように構成されている点にある。
【００１６】
上記特徴構成によれば、異常検出用の第１パネル及びそれのパネル並び方向一方向側に隣接する第１パネルが共に正立姿勢のときは、押圧可能状態になってリミットスイッチが押圧され、異常検出用の第１パネルが傾斜姿勢のときは、押圧不能状態になってリミットスイッチが押圧されない。又、異常検出用の第１パネルが存在しないときも、リミットスイッチを押圧する押圧操作部が存在しないので、押圧不能状態になってリミットスイッチが押圧されない。
つまり、リミットスイッチが押圧されているときは、異常検出用の第１パネル及びそれのパネル並び方向一方向側に隣接する第１パネルが共に正立姿勢である、即ち、上側支持体と下側支持体との間に隣接並び配設されるべき複数のパネルの全てが正立姿勢で存在していると検知することができる。一方、リミットスイッチが押圧されていないときは、異常検出用の第１パネルよりもパネル並び方向一方向側の第１パネル及び第２パネルのうちの少なくとも１枚が正立状態にない異常状態であると検知することができる。
従って、完全な仕切りが形成された正常状態であるか否かをより一層的確に検知することができるようになった。
【００１７】
本発明に係るパネルシステムの更なる特徴構成は、前記下側支持体に、前記複数の第１パネル及び前記第２パネルの下縁部を嵌め込み可能なように上向きに開口した溝部が長手方向に延びる状態で設けられ、
前記溝部において、前記複数の第１パネルの下縁部夫々における前記他方向側の端部が位置すると予定される箇所の夫々に、前記溝部内を横断するようにピンが設けられ、
前記複数の第１パネルの夫々が、夫々の下縁部の前記他方向側の端部が前記ピンにより前記パネル支持面である前記溝部の底面から浮かして支持され、
前記姿勢決定部が前記ピンにて構成されている点にある。
【００１８】
上記特徴構成によれば、第１パネルは、被支持状態では、その下縁部におけるパネル並び方向他方向側の端部がピンにより溝部の底面から浮かして支持された状態で、その下縁部におけるパネル並び方向一方向側の端部が支持力により溝部の底面から浮かすように支持されて、正立姿勢となる。
そのような正立姿勢で、支持力が解除されて解除状態になると、第１パネルは、その下縁部におけるパネル並び方向他方向側の端部がピンにより溝部の底面から浮かして支持される状態が維持されたままであるので、パネル並び方向一方向側に傾いて、その下縁部におけるパネル並び方向一方向側の端部が溝部の底面に支持されるようになり、姿勢が正立姿勢から傾斜姿勢に変えられる。
又、そのような傾斜姿勢から、支持力が作用して被支持状態になると、第１パネルは上述の如き正立姿勢に姿勢が変えられる。
従って、複数の第１パネル夫々について、被支持状態と解除状態との切り換わりに伴う正立姿勢と傾斜姿勢との姿勢の変更が的確に行われるようにすることができるので、完全な仕切りが形成された正常状態であるか否かをより一層的確に検知することができるようになった。
【００１９】
本発明に係るパネルシステムの更なる特徴構成は、前記複数の第１パネル夫々の前記一方向側の側縁部に、横方向に突出する突出部が設けられ、
前記複数の第１パネルのうちの前記他方向側の端の第１パネルを除いた第１パネル及び前記第２パネル夫々の前記他方向側の側縁部に、前記突出部を受けて当該突出部が設けられた第１パネルの下縁部における前記一方向側の端部を前記パネル支持面から浮かして支持することにより、当該第１パネルを前記被支持状態にする受け部が設けられている点にある。
【００２０】
上記特徴構成によれば、第１パネルは、当該第１パネルのパネル並び方向一方向側の側縁部に設けられた突出部が、当該第１パネルのパネル並び方向一方向側に隣接する第１パネル又は第２パネルのパネル並び方向他方向側の側縁部に設けられた受け部により受けられることにより、被支持状態となって、正立姿勢に保持される。
又、第１パネルのパネル並び方向一方向側に隣接していた第１パネル又は第２パネルが存在しなくなると、突出部が受け部により受けられない状態になることにより、解除状態になって、傾斜姿勢に姿勢が変更される。
従って、複数の第１パネル夫々について、被支持状態と解除状態との切り換えが的確に行われるようになって、正立姿勢と傾斜姿勢との姿勢の変更が的確に行われるようにすることができるので、完全な仕切りが形成された正常状態であるか否かをより一層的確に検知することができるようになった。
【図面の簡単な説明】
【００２１】
【図１】パネルシステムを備えたブースの概略斜視図
【図２】パネルシステムの全体の正面図
【図３】パネルシステムの一部省略の横断平面図
【図４】パネルシステムの一部省略の縦断側面図
【図５】後方側から見た検知手段の斜視図
【図６】パネルシステムの下部の要部を示す斜視図
【図７】異常検出用のパネル及びそれに隣接するパネルが共に正立姿勢で支持されている状態、及び、その状態での検知手段の作用状態を示す図
【図８】異常検出用のパネルが傾斜姿勢で支持されている状態、及び、その状態での検知手段の作用状態を示す図
【図９】異常検出用のパネル及びそれに隣接するパネルが共に傾斜姿勢で支持されている状態、及び、その状態での検知手段の作用状態を示す図
【図１０】別実施形態に係る検知手段を示すパネルシステムの要部の正面図
【図１１】別実施形態に係る検知手段を示すパネルシステムの要部の正面図
【図１２】別実施形態に係るパネルシステムの要部の縦断側面図
【発明を実施するための形態】
【００２２】
以下、図面に基づいて、本発明の実施形態を説明する。
図１に示すように、パネルシステムＰは、恒温ブースやクリーンブース等のブースＢの仕切り壁を構成するものである。そして、ブースＢ内を所定の温度条件下に保持すべく、ダクトＤを通してブースＢ内に所定の温度範囲内に温調した空気を供給する空気調和機Ｃが設けられている。
【００２３】
図１及び図２に示すように、パネルシステムＰは、ブースＢの一壁面の外周部を形成するようにブースＢの躯体（図示省略）に設けられた矩形枠状のフレーム２、そのフレーム２の上部と下部に振り分けて設けられた上側支持体３及び下側支持体４、並びに、上側支持体３と下側支持体４との間に正立姿勢で隣接並び配設された複数の矩形状のパネル１等を備えて構成されている。
ちなみに、この実施形態では、ブースＢの仕切り壁を構成する複数のパネル１として、５枚のパネル１が設けられている。
各パネル１には、パネル持ち上げ用の一対のハンドル１ｈが横幅方向両側に振り分けて設けられている。
【００２４】
図２〜図４に示すように、フレーム２は、壁面に向かって上側の上側横棒部２ｕ、下側の下側横棒部２ｓ、左側の左側柱部２ｈ及び右側の右側柱部２ｍにより矩形枠状に構成されている。尚、図４の（ａ）は、パネルシステムにおける上部側の部分の縦断側面図であり、（ｂ）は、下端側の部分の縦断側面図である。
図２及び図４に示すように、下側支持体４は、フレーム２の下側横棒部２ｓに取り付けられ、その下側支持体４には、パネル１の下縁部を嵌め込み可能なように上向きに開口した溝部４ｍが長手方向に延びる状態で設けられている。又、上側支持体３は、フレーム２の上側横棒部２ｕに取り付けられ、その上側支持体３には、パネル１の上縁部を嵌め込み可能なように下向きに開口した溝部３ｍが長手方向に延びる状態で設けられている。
つまり、下側支持体４の溝部４ｍの底面４ｂ（以下、溝底面と略記する場合がある）が、下側支持体４におけるパネル１を支持するパネル支持面として機能する。
【００２５】
上側支持体３の溝底面３ｂと下側支持体４の溝底面４ｂとの間の間隔は、パネル１の高さよりも長くなるように設定されている。又、フレーム２の左側柱部２ｈと右側柱部２ｍとの間隔は、相対する側縁部を密接させて並べた状態の５枚のパネル１の総横幅よりも長くなるように設定されている。
そして、図２及び図３に示すように、５枚のパネル１を、相対する側縁部を密接させてフレーム２の右側柱部２ｍの側に寄せた状態で、上側支持体３と下側支持体４との間に隣接並び配設したときに、パネル並び方向左側の端に位置する左端のパネル１の左側縁部とフレーム２の左側柱部２ｈとの間に形成される隙間を閉じるように、左側柱部２ｈには、その奥側からフレーム内方側に突出するように閉じ板５が取り付けられている。
又、パネル並び方向右側の端に位置する右端のパネル１の右側縁部とフレーム２の右側柱部２ｍとの間の隙間を閉じるように、右側柱部２ｍには、右端のパネル１の右側縁部を嵌め込み可能な横断面形状が「コ」の字状の棒状体１５が取り付けられている。
【００２６】
各パネル１は、その上縁部を上側支持体３の溝部３ｍ内に嵌め込んで持ち上げた状態で、その下縁部を下側支持体４の溝部４ｍ内に嵌め込んで落とし込むことにより、上側支持体３と下側支持体４との間に支持させて設けられることになる。
そして、５枚のパネル１を上側支持体３と下側支持体４との間に隣接並び配設した状態で、各パネル１をその横幅方向にスライドさせて隣接するパネル間に隙間を形成することができるので、５枚のパネル１を各別に取り外すことができる。
【００２７】
本発明では、図２、図７〜図９に示すように、上側支持体３と下側支持体４との間に配設された状態で、支持力を受けてパネル並び方向の一方向側（この実施形態では右側）の端部が下側支持体４のパネル支持面である溝底面４ｂから浮いた被支持状態である正立姿勢と、前記支持力が解除された解除状態である前記一方向側（右側）に傾いた傾斜姿勢との間で姿勢変更自在な（この実施形態では４枚）の第１パネル１Ａと、上側支持体３と下側支持体４との間に、正立姿勢で装着される第２パネル１Ｂとが備えられている。つまり、ブースＢの仕切り壁を構成すべく隣接並び配設される複数のパネル１が、４枚の第１パネル１Ａと１枚の第２パネル１Ｂとにより構成される。
【００２８】
又、第１パネル１Ａのそれぞれに対して、当該第１パネル１Ａの前記正立姿勢と前記傾斜姿勢との揺動支点をなる姿勢決定部Ｋがパネル並び方向の他方向側に備えられている。
更に、複数の第１パネル１Ａ群に対して、第２パネル１Ｂを前記一方向側の端位置に装着した装着状態で、前記複数の第１パネルの全てを正立姿勢に支持可能に構成されている。
そして、４枚の第１パネル１Ａの全てが正立姿勢となる正常状態か、４枚の第１パネル１Ａの何れかが傾斜姿勢となる異常状態かを検知する検知手段Ｓが設けられている。
尚、以下の説明及び図面においては、上側支持体３及び下側支持体４との間に隣接並び配設された４枚の第１パネル１Ａの並び方向での位置を示すために、第１パネルを示す符号「１Ａ」に、パネル並び方向右端の第１パネルから左側へ順に添え字「ａ」、「ｂ」、「ｃ」、「ｄ」を付す。
【００２９】
ここで、図２は、４枚の第１パネル１Ａ及び１枚の第２パネル１Ｂの全てが正立姿勢で隣接並び配設されている状態を示す正面図であり、図７は、そのようなパネル配設状態におけるパネル並び方向他方向側（左側）部分の正面図、及び、検知手段Ｓの作用状態を示す。
図８は、パネル並び方向左端の第１パネル１Ａｄのみが傾斜姿勢で配設されている状態でのパネル並び方向左側部分の正面図、及び、そのようなパネル配設状態における検知手段Ｓの作用状態を示す。
又、図９は、パネル並び方向左端側の２枚の第１パネル１Ａｄ、１Ａｃのみが傾斜姿勢で配設されている状態でのパネル並び方向左側部分の正面図、及び、そのようなパネル配設状態における検知手段Ｓの作用状態を示す。
【００３０】
この実施形態では、パネル並び方向他方向側（左側）の端の第１パネル１Ａｄである異常検出用の第１パネル１Ａｄよりもパネル並び方向一方向側（右側）の第１パネル１Ａ及び第２パネル１Ｂのうちの少なくとも１枚のパネル１が不存在であると、その不存在のパネル１の存在予定箇所よりもパネル並び方向他方向側（左側）の全ての第１パネル１Ａが解除状態となって傾斜姿勢となるように構成されている。
そして、検知手段Ｓが、異常検出用の第１パネル１Ａｄが正立姿勢であると正常状態を検知し、異常検出用の第１パネル１Ａｄが傾斜姿勢であると異常状態を検知するように構成されている。
【００３１】
以下、パネルシステムＰの各部について説明を加える。
図２、図４及び図６に示すように、フレーム２に４枚の第１パネル１Ａ及び１枚の第２パネル１Ｂをパネル並び方向に相対する側縁部を密接させて隣接並び配設したときに、下側支持体４の溝部４ｍにおいて、４枚の第１パネル１Ａの下縁部夫々におけるパネル並び方向他方向側（左側）の端部が位置すると予定される箇所の夫々に、溝部４ｍ内を横断するようにピン８が設けられている。尚、図６の（ａ）は、２枚の第１パネル１Ａが相対する側縁部を離間させてパネル並び方向に並ぶ状態を示す斜視図であり、（ｂ）は、２枚の第１パネル１Ａが相対する側縁部を密接させてパネル並び方向に並ぶ状態を示す斜視図である。
そして、複数の第１パネル１Ａの夫々が、夫々の下縁部のパネル並び方向他方向側（左側）の端部がピン８によりパネル支持面である溝底面４ｂから浮かして支持される。つまり、前記姿勢決定部Ｋがピン８にて構成されている
【００３２】
図２及び図６に示すように、４枚の第１パネル１Ａ夫々のパネル並び方向一方向側（右側）の側縁部に、横方向（この実施形態では、パネル並び方向一方向側）に突出する突出部としての凸条部６が設けられている。
又、４枚の第１パネル１Ａのうちのパネル並び方向他方向側（左側）の端の第１パネル１Ａｄを除いた第１パネル１Ａ及び第２パネル１Ｂ夫々のパネル並び方向他方向側（左側）の側縁部に、前記凸条部６を受けて当該凸条部６が設けられた第１パネル１Ａの下縁部におけるパネル並び方向一方向側（右側)の端部を溝底面４ｂから浮かして支持することにより、当該第１パネル１Ａを前記被支持状態にする受け部７が設けられている。
つまり、各第１パネル１Ａは、当該第１パネル１Ａのパネル並び方向一方向側（右側）の側縁部の凸条部６が当該第１パネル１Ａのパネル並び方向一方向側（右側）に隣接する第１パネル１Ａ又は第２パネル１Ｂのパネル並び方向他方向側（左側）の側縁部の受け部７に受けられることにより、被支持状態になって、正立姿勢で上側支持体３と下側支持体４との間に支持されることになる。
【００３３】
図６に示すように、前記凸条部６は、各第１パネル１Ａの右側縁部の端面における幅方向の中央部を、その端面の下端部を除いた長手方向の略全長にわたって突出させることにより設けられている。
つまり、図２に示すように、突出部としての凸条部６が、各第１パネル１Ａのパネル並び方向一方向側（右側）の側縁部に、パネル並び方向一方向側（右側）に突出する形態で、その側縁部の下端側を除いた上下方向の略全長にわたって設けられることになる。
【００３４】
又、図２、図３及び図６に示すように、４枚の第１パネル１Ａのうちのパネル並び方向他方向側（左側）の端の第１パネル１Ａｄを除いた第１パネル１Ａ及び第２パネル１Ｂ夫々のパネル並び方向他方向側（左側）の側縁部の端面に、その端面の下端部を除いた長手方向の略全長にわたって、各パネル１のパネル並び方向他方向側（左側）に隣接するパネル１の凸条部６を嵌め込み可能に溝状に引っ込んだ凹条部９が設けられている。
各パネル１の左側縁部の端面に凹条部９を形成するに当たっては、端面の下端部を残して長手方向の略全長にわたって溝状に引っ込ませて形成することにより、各パネル１の左側縁部における凹条部９が設けられていない下端部分を前記受け部７として機能させるように構成されている。
つまり、４枚の第１パネル１Ａのうちのパネル並び方向左側の端の第１パネル１Ａｄを除いた第１パネル１Ａ及び第２パネル１Ｂ夫々のパネル並び方向左側の側縁部における受け部７の上方に、凸条部６を嵌めこみ可能な凹条部９が設けられていることになる。
【００３５】
そして、隣り合う２枚のパネル１を、左側のパネル１の右側縁部の凸条部６を右側のパネル１の左側縁部の凹条部９に嵌めこんだ状態で並べて配設することにより、このようなパネルシステムで所定の空間を仕切るに当たって、その閉塞性を向上することができる。
【００３６】
ところで、図２に示すように、第２パネル１Ｂは、その下縁部が全長にわたって下側支持体４の溝底面４ｂに受けられる状態で上側支持体３と下側支持体４との間に支持され、一方、その第２パネル１Ｂの左に隣接する第１パネル１Ａａは、その下縁部の左端をピン８により下側支持体４の溝底面４ｂから浮かした状態で上側支持体３と下側支持体４とにより支持される。
そこで、第２パネル１Ｂに設けられる受け部７は、その第２パネル１Ｂの左に隣接する第１パネル１Ａａの下縁部におけるパネル並び方向右側の端部を溝底面４ｂから浮かして支持可能なように、第１パネル１Ａに設けられる受け部７よりも下端から高い位置に設けられている。
【００３７】
次に、複数のパネル１を上側支持体３と下側支持体４との間に支持させる形態について、説明を加える。
図２に示すように、パネル並び方向右端の第２パネル１Ｂは、下縁部が全長にわたって下側支持体４の溝底面４ｂに受けられる状態の正立姿勢で、上側支持体３と下側支持体４との間に支持される。
図２及び図６に示すように、４枚の第１パネル１Ａ夫々は、下縁部の左側の端部がピン８により受けられ且つ右側縁部の凸条部６の下端が右側に隣接する第１パネル１Ａ又は第２パネル１Ｂの左側縁部の受け部７に乗り上げてその受け部７により受けられることにより、下縁部が全長にわたって下側支持体４の溝底面４ｂから浮かされた状態の正立姿勢で、上側支持体３と下側支持体４との間に支持される。
又、パネル並び方向に隣接する２枚のパネル１は、左側のパネル１の右側縁部の凸条部６を右側のパネル１の左側縁部の凹条部９に嵌め込むことにより、相対する側縁部を密接させた状態で、上側支持体３と下側支持体４との間に支持される。
【００３８】
４枚の第１パネル１Ａ及び１枚の第２パネル１Ｂからなる５枚のパネル１をフレーム２に設ける順序は、どのような順序も可能であるが、第２パネル１Ｂを最初に設け、その第２パネル１Ｂの左側に４枚の第１パネル１Ａを左側に向かって順に設けると、各パネル１を正立姿勢に設けながら複数のパネル１を順次並べることができるので、パネル設置作業を簡略化することができる。
【００３９】
次に、パネル１が傾斜姿勢になる形態について、説明を加える。
例えば、５枚のパネル１全てがフレーム２に並べて設けられている状態で、パネル並び方向右端の第２パネル１Ｂが取り外される場合を一例にして、説明する。
パネル並び方向右端の第２パネル１Ｂが取り外されると、その第２パネル１Ｂの左側に隣接する右から１枚目の第１パネル１Ａａは、その左側縁部の凸条部６が支えられなくなるので、その第１パネル１Ａａの下縁部におけるパネル並び方向右側の端部が下側支持体４の溝底面４ｂに当接することになって、パネル並び方向一方向側（右側）に傾いた傾斜姿勢となる。
【００４０】
そして、パネル並び方向に隣接する２枚のパネル１のうちの左側のパネル１の右側縁部の凸条部６と、右側のパネル１の左側縁部の受け部７との重なり量は、右側のパネル１が傾斜姿勢になると、凸条部６と受け部７との重なりが解除される量に設定されている。
従って、上述のように、パネル並び方向右端の第２パネル１Ｂが取り外されることに伴って、その第２パネル１Ｂの左側に隣接する右から１枚目の第１パネル１Ａａが右側に傾く傾斜姿勢になると、その右から１枚目の第１パネル１Ａａの左側縁部の受け部７と右から２枚目の第１パネル１Ａｂの右側縁部の凸条部６との重なりが解除されるので、右から２枚目の第１パネル１Ａｂも右側に傾く傾斜姿勢となり、同様に、右から３枚目の第１パネル１Ａｃ、パネル並び方向左端の第１パネル１Ａｄの順に右側に傾く傾斜姿勢になる。
ちなみに、図９は、右から２枚目の第１パネル１Ａｂが取り外されて、右から３枚目の第１パネル１Ａｃ、パネル並び方向左端の第１パネル１Ａｄが傾斜姿勢になった状態を示し、図８は、右から３枚目の第１パネル１Ａｃが取り外されて、パネル並び方向左端の第１パネル１Ａｄが傾斜姿勢になった状態を示す。
【００４１】
又、右から１枚目の第１パネル１Ａａが取り外されると、その第１パネル１Ａａの右側に隣接する第２パネル１Ｂは正立姿勢に保持されるが、その右から１枚目の第１パネル１Ａａよりも左側の３枚の第１パネル１Ａｂ、１Ａｃ、１Ａｄは順に傾斜姿勢になる。
又、右から２枚目の第１パネル１Ａｂが取り外されると、その右から２枚目の第１パネル１Ａｂの右側の第１パネル１Ａａ及び第２パネル１Ｂは正立姿勢に保持されるが、右から２枚目の第１パネル１Ａｂよりも左側の２枚の第１パネル１Ａｃ、１Ａｄは順に傾斜姿勢になる。
又、右から３枚目の第１パネル１Ａｃが取り外されると、その右から３枚目の第１パネル１Ａｃの右側の第１パネル１Ａｂ、１Ａａ及び第２パネル１Ｂは正立姿勢に保持されるが、その右から３枚目の第１パネル１Ａｃよりも左側の第１パネル１Ａｄは傾斜姿勢になる。
【００４２】
つまり、上述したように、パネル並び方向他方向側（左側）の端の異常検出用の第１パネル１Ａｄよりも一方向側（右側）の第１パネル１Ａ及び第２パネル１Ｂのうちの少なくとも１枚のパネル１が不存在であると、その不存在のパネル１の存在予定箇所よりもパネル並び方向他方向側（左側）の全ての第１パネル１Ａが解除状態となって傾斜姿勢となるように構成されていることになる。
【００４３】
次に、検知手段Ｓについて、説明を加える。
図４、図５、図７〜図９に示すように、この実施形態では、検知手段Ｓが、異常検出用の第１パネル１Ａｄにおけるパネル並び方向一方向側（右側）の側縁部の上部に設けられた押圧操作部１０と、その押圧操作部１０により押圧操作されるように上側支持体３に設けられたリミットスイッチ１１とを備えて構成されている。
そして、押圧操作部１０が、異常検出用の第１パネル１Ａｄ及びそれのパネル並び方向一方向側（右側）に隣接する第１パネル１Ａｃが正立姿勢のときはリミットスイッチ１１を押圧する押圧可能状態になり（図５の（ａ）、図７参照）、異常検出用の第１パネル１Ａｄが傾斜姿勢のときはリミットスイッチ１１を押圧しない押圧不能状態になるように構成されている（図５の（ｂ）、図８、図９参照）。
【００４４】
更に、リミットスイッチ１１が、その被押圧部１１ｐをパネル並び方向一方向側（右側）に向けて押圧操作可能なように設けられている。
又、押圧操作部１０が、異常検出用の第１パネル１Ａｄの厚さ方向に沿う揺動軸心Ｊ周りに揺動自在に長手方向の中間部が枢支された押圧操作体１２にて構成されている。
更に、異常検出用の第１パネル１Ａｄの右側に隣接する第１パネル１Ａｃのパネル並び方向他方向側（左側）の側縁部に、異常検出用の第１パネル１Ａｄとその右側の第１パネル１Ａｃが近接する状態で、押圧操作体１２における揺動軸心Ｊよりも下方側の部分にパネル並び方向一方向側（右側）から当接して押圧操作体１２を立ち姿勢に保持する受け止め体１３が設けられている。
そして、異常検出用の第１パネル１Ａｄが正立姿勢の場合は、押圧操作体１２が受け止め体１３により立ち姿勢に保持されると、図５の（ａ）及び図７に示すように、押圧操作体１２の上端がリミットスイッチ１１の被押圧部１１ｐよりも上方に位置して押圧可能状態となるように構成されている。又、異常検出用の第１パネル１Ａｄが傾斜姿勢の場合は、押圧操作体１２に受け止め体１３が当接しないとき（図８参照）、及び、押圧操作体１２に受け止め体１３が当接するとき（図９参照）のいずれのときも、押圧操作体１２の上端が被押圧部１１ｐよりも下方に位置して押圧不能状態になるように構成されている。
【００４５】
図４、図５、図７〜図９に基づいて、検知手段Ｓの各部について更に説明を加える。
押圧操作体１２は、左端のパネル１Ａｄの面方向に沿う矩形状の枢支板状部１２ｋと、その枢支板状部１２ｋの上縁部から上方に突出する状態でその右側縁から後方に延びる矩形状の押圧板状部１２ａ等を備えて構成されている。
そして、上述のような押圧操作体１２は、図５の（ｂ）及び図８に示すように、揺動軸心Ｊ周りの揺動を阻止する力が作用しない自由状態では、押圧板状部１２ａが正面視で左側ほど上方に位置する左上がりの傾斜姿勢となるように、枢支板状部１２ｋにて、異常検出用の第１パネル１Ａｄの右側縁部の上端部裏面に枢支されている。具体的には、枢支板状部１２ｋが、その幅方向では押圧板状部１２ａが連設されている右側縁部に偏り且つその長さ方向では押圧板状部１２ａの長さ方向の略中央に対応する位置を枢支点として枢支されている。
図５の（ａ）及び図７に示すように、受け止め体１３は、異常検出用の第１パネル１Ａｄ及びその右側の第１パネル１Ａｃが互いに正立姿勢で近接する状態で、押圧操作体１２の押圧板状部１２ａにおける揺動軸心Ｊよりも下方側の部分にパネル並び方向一方向側（右側）から当接して押圧操作体１２を立ち姿勢に保持するように、第１パネル１Ａｃの左側縁部の上端部にパネル裏面側に突出させて設けられている。
【００４６】
リミットスイッチ１１は、上述のように被押圧部１１ｐをパネル並び方向一方向側（右側）に向けて押圧操作可能な姿勢で、パネル裏面側に突出するように、ブラケット１４により上側支持体３の裏面側に設けられている。
そして、図５の（ａ）及び図７に示すように、異常検出用の第１パネル１Ａｄが正立姿勢のときに、押圧操作体１２が受け止め体１３により立ち姿勢に保持されると、押圧操作体１２の押圧板状部１２ａの上端部により被押圧部１１ｐがパネル並び方向右側に押圧されて、リミットスイッチ１１がオン状態となるように構成されている。
又、図５の（ａ）、図８及び図９に示すように、異常検出用の第１パネル１Ａｄが傾斜姿勢になると、押圧操作体１２に受け止め体１３が当接しているか否かに拘わらず、押圧操作体１２の押圧板状部１２ａがリミットスイッチ１１よりも下方に位置するようになって、被押圧部１１ｐを押圧する状態が解除されてリミットスイッチ１１がオフ状態になるように構成されている。
【００４７】
つまり、リミットスイッチ１１がオン状態のときは、４枚の第１パネル１Ａの全てが正立姿勢となる正常状態、即ち、上側支持体３と下側支持体４との間に隣接並び配設されるべき複数のパネル１の全てが正立姿勢で存在する状態が検知されることになる。又、リミットスイッチ１１がオフ状態のときは、４枚の第１パネル１Ａの何れかが傾斜姿勢となる異常状態、即ち、上側支持体３と下側支持体４との間に隣接並び配設されるべき複数のパネル１のうちのいずれかが傾斜姿勢となるかあるいは欠けた異常状態であると検知することになる。
【００４８】
尚、詳細な説明及び図示を省略するが、上述したようにリミットスイッチ１１がオフ状態に切り換わると、異常報知手段（ランプやブザー等）を作動させて、上側支持体３と下側支持体４との間に隣接並び配設されるべき複数のパネル１のうちのいずれかが傾斜姿勢となるかあるいは欠けた異常状態を報知するように構成されている。
【００４９】
本発明のパネルシステムＰは、上述のように構成してあるので、仕切り壁を構成するために必要な複数のパネル１の全てが上側支持体３と下側支持体４との間に隣接並び配設されてリミットスイッチ１１がオン状態である状態（完全な仕切りが形成された正常状態）から、それら複数のパネル１のうち、パネル並び方向左端の異常検出用の第１パネル１Ａｄを除いたパネル１の少なくとも１枚が取り外されると、異常検出用の第１パネル１Ａｄが傾斜姿勢になって、リミットスイッチ１１の被押圧部１１ｐが押圧操作体１２により押圧される状態が解除されるので、リミットスイッチ１１がオフ状態になる。
又、異常検出用の第１パネル１Ａｄが取り外されても、リミットスイッチ１１の被押圧部１１ｐが押圧操作体１２により押圧される状態が解除されるので、リミットスイッチ１１がオフ状態になる。
従って、完全な仕切りが形成された正常状態であるか否かを的確に検知することができるのである。
【００５０】
しかも、押圧操作体１２は、自由状態では押圧板状部１２ａが左上がりの傾斜姿勢となる姿勢でパネル厚さ方向に沿う揺動軸心Ｊ周りに揺動自在に枢支されているので、先に設けられている第１パネル１Ａｃの左側に異常検出用の第１パネル１Ａｄを設ける場合、及び、先に異常検出用の第１パネル１Ａｄを設けてからその右側に第１パネル１Ａｃを設ける場合のいずれの場合でも、押圧操作体１２に無理な力を印加させることなく押圧板状部１２ａと受け止め体１３とを当接させて、押圧操作体１２を立ち姿勢に保持することができる。
又、異常検出用の第１パネル１Ａｄの右側に隣接する第１パネル１Ａｃが右下がりの傾斜姿勢になるのに伴って、異常検出用の第１パネル１Ａｄが右側に傾いて右下がりの傾斜姿勢になるときには、押圧操作体１２が反時計回り（即ち、リミットスイッチ１１の被押圧部１１ｐを押圧する方向とは反対側）に揺動するので、リミットスイッチ１１の被押圧部１１ｐに無理な力が印加することなく、リミットスイッチ１１をオフ状態に切り換えることができる。
従って、リミットスイッチ１１、押圧操作体１２及び受け止め体１３等から構成される検知手段Ｓの耐久性を向上することができる。
【００５１】
〔別実施形態〕
次に別実施形態を説明する。
（イ）  検知手段Ｓの具体構成は、上記の実施形態において説明した構成に限定されるものではない。
例えば、上記の実施形態と同様に、押圧操作部１０とリミットスイッチ１１とを備えて構成する場合、異常検出用の第１パネル１Ａｄ及びそれに隣接する第１パネル１Ａｃが正立姿勢のときはリミットスイッチ１１を押圧する押圧可能状態になり、異常検出用の第１パネル１Ａｄが傾斜姿勢のときはリミットスイッチ１１を押圧しない押圧不能状態になる条件で、押圧操作部１０の構成を変更しても良い。
【００５２】
例えば、図１１に示すように、押圧操作部１０を、異常検出用の第１パネル１Ａｄの厚さ方向に沿う揺動軸心Ｊ周りに揺動自在に長手方向の中間部が枢支された揺動体２１にて構成する。更に、異常検出用の第１パネル１Ａｄのパネル並び方向一方向側（右側）に隣接する第１パネル１Ａｃのパネル並び方向他方向側（左側）の側縁部に、以下のように押圧体２２を設ける。
即ち、異常検出用の第１パネル１Ａｄとそれに隣接する第１パネル１Ａｃとが正立姿勢で近接する場合は、図１１の（ａ）に示すように、揺動体２１における揺動軸心Ｊよりも下方側の部分にパネル並び方向一方向側（右側）から当接することにより、揺動体２１を立ち姿勢に保持して押圧可能状態となり、異常検出用の第１パネル１Ａｄとそれに隣接する第１パネル１Ａｃとが傾斜姿勢で近接する場合は、図１１の（ｂ）に示すように、揺動体２１における揺動軸心Ｊよりも上方側に位置して、押圧不能状態となるよう、押圧体２２を設ける。
【００５３】
あるいは、図１０に示すように、反射型光センサ２３又は近接センサ２４を、異常検出用の第１パネル１Ａｄが正立姿勢の場合は（図１０の（ａ）参照）、異常検出用の第１パネル１Ａｄにおいて傾斜姿勢に倒れる側とは反対側（パネル並び方向左側）の上部の角部が検出範囲に入り、且つ、異常検出用の第１パネル１Ａｄが傾斜姿勢の場合は（図１０の（ｂ）参照）、前記角部が検出範囲から外れるように設けても良い。
【００５４】
（ロ）  上記の実施形態において、姿勢決定部Ｋとしてのピン８に代えて、溝部４ｍの側面や底面に、突起部を溝部４ｍ内の上下方向の中間部に突出するように設けても良い。
又、ピン８に代えて、溝部４ｍ内を横断するように、ローラを設けても良い。
【００５５】
（ハ）  上記の実施形態では、姿勢決定部Ｋを下側支持体４に設けたが、各第１パネル１Ａに設けても良い。
例えば、図１２に示すように、第１パネル１Ａの下縁部に、下側支持体４の上部に被さる凹部１ｍをパネル横幅方向に延びるように設け、その凹部１ｍ内に、その凹部１ｍを横断するようにピン２５を設け、そのピン２５にて姿勢決定部Ｋを構成しても良い。
この場合、下側支持体４の上面４ｕがパネル支持面として機能する。
又、図示を省略するが、上記の実施形態と同様に、下側支持体４に、上向きに開口した溝部４ｍを設けて、各第１パネル１Ａの下縁部におけるパネル並び方向他方向側（上記の実施形態では、パネル並び方向左側）の端部に、姿勢決定部Ｋとしてのローラを下方に突出するように設けても良い。
この場合は、各第１パネル１Ａをローラによって下側支持体４の溝部４ｍ内を横方向にスライドさせることができるので、各第１パネル１Ａの右側縁部の凸条部６を、各第１パネル１Ａの右側に隣接するパネル１の左側縁部の凹条部９に嵌め込み易い。
【００５６】
（ニ）  突出部６の突出方向は、上記の実施形態において例示したパネル並び方向一方向側（上記の実施形態では、パネル並び方向右側）に限定されるものではなく、パネル並び方向に交差する方向（後側や前側）でも良い。その場合、受け部７は、突出部６の突出方向に応じて、その突出部６を受けることができるように設けることになる。
【００５７】
（ホ）  第１パネル１Ａのパネル並び方向一方向側の端部を下側支持体４のパネル支持面４ｂから浮かすように支持する支持力を付与する形態は、上記の実施形態において例示した構成、即ち、突出部６を受け部７にて受けることにより付与する形態に限定されるものではない。
例えば、複数の第１パネル１Ａ及び第２パネル１Ｂが上側支持体３と下側支持体４との間に隣接並び配設されている状態で、パネル並び方向一端のパネル１をパネル並び方向他端側に向けて押圧することにより、各第１パネル１Ａのパネル並び方向一方向側の端部を下側支持体４のパネル支持面４ｂから浮かした状態に保持する形態でも良い。
この場合、パネル並び方向のいずれか一方側の端のパネル１が不存在になると、上側支持体３と下側支持体４との間に存在している第１パネル１Ａの全てが傾斜姿勢になる。
【００５８】
（ヘ）  上記の実施形態では、複数のパネル１の並び方向において、第２パネル１Ｂが位置する側、即ち、パネル並び方向の一方向側をパネル並び方向右側に設定したが、パネル並び方向左側に設定しても良い。
【００５９】
（ト）  所定の仕切り壁を構成すべく上側支持体３と下側支持体４との間に隣接並び配設する複数のパネル１のうち、第１パネル１Ａの枚数は、上記の実施形態において例示した４枚に限定されるものではなく、構成対象の仕切り壁の横幅に応じて、２枚以上のいずれかの枚数に設定することができる。
【００６０】
（チ）  本発明を適用することができるパネルシステムの用途は、上記の実施形態の如きブースの仕切り壁構成用に限定されるものではなく、各種建築物の仕切り壁構成用でも良い。
【産業上の利用可能性】
【００６１】
以上説明したように、低廉化を図り得るパネルシステムを提供することができる。
【符号の説明】
【００６２】
１      パネル
１Ａ    第１パネル
１Ａｄ  異常検出用の第１パネル
１Ｂ    第２パネル
３      上側支持体
４      下側支持体
４ｂ    溝底面（パネル支持面）
４ｍ    溝部
４ｕ    上面（パネル支持面）
６      凸条部（突出部）
７      受け部
８      ピン
１０    押圧操作部
１１    リミットスイッチ
Ｋ      姿勢決定部
Ｐ      パネルシステム
Ｓ      検知手段
【図１】
2011074621.tif 000003
【図２】
2011074621.tif 000004
【図３】
2011074621.tif 000005
【図４】
2011074621.tif 000006
【図５】
2011074621.tif 000007
【図６】
2011074621.tif 000008
【図７】
2011074621.tif 000009
【図８】
2011074621.tif 000010
【図９】
2011074621.tif 000011
【図１０】
2011074621.tif 000012
【図１１】
2011074621.tif 000013
【図１２】
2011074621.tif 000014